(57)【要約】【課題】容器内に収納された積層合成樹脂製袋体もしくは積層合成樹脂製ごみ袋の一端縁部を磁着もしくは挾着保持状態を持続し、ごみ容器から離脱して落下してしまうことを少なくすることができるようにしたと共に、容器内で広げられた際に、大きな負荷が掛っても、最初の段階でマグネット取付け体が引張られて上方向に滑って移動し、２度目には、くわえた個所で逃げ２つの働きができ適度な高さとなり、前記ごみ袋をスライドせしめると共に、他方で複数枚の積層合成樹脂製袋体がマグネット取付け体からの離脱を少なくせしめ課題を解決した。【解決手段】積層合成樹脂製袋体固定用マグネット取付け具としては、合成樹脂製等のごみ容器の外側壁面部の１箇所もしくは複数個所に、磁性体を装着せしめ、前記磁性体に着脱自在に磁着せしめると共に、積層合成樹脂製袋体を挾着保持するマグネット取付け体とした構成であることで解決した。【選択図】    図１【包括委任状番号】    １６０３３７０
2016153339.tif 000002
【特許請求の範囲】
【請求項１】
合成樹脂製等のごみ容器の外側壁面部の１箇所もしくは複数個所に、装着せしめられる磁性体と、前記磁性体に着脱自在に磁着せしめると共に、積層合成樹脂製袋体を挾着保持するマグネット取付け体とからなることを特徴とする積層合成樹脂製袋体及び積層合成樹脂製ごみ袋固定用マグネット取付け具。
【請求項２】
前記請求項１に記載の磁性体が、前記ごみ容器の開口部寄りの上方部にして、且つ外側壁面部に装着せしめられることを特徴とする請求項１に記載の積層合成樹脂製袋体及び積層合成樹脂製ごみ袋固定用マグネット取付け具。
【請求項３】
前記請求項１に記載の磁性体が、短冊状をした複数枚の小片板状磁性体を左側方部と右側方部を細く並列状に並置せしめ、前記小片板状磁性体の裏面部に両面接着テープを貼着せしめることを特徴とする請求項１又は２に記載の積層合成樹脂製袋体及び積層合成樹脂製ごみ袋固定用マグネット取付け具。
【請求項４】
前記請求項１のマグネット取付け体において、下側挾持片及び上側挾持片に各1個づつのマグネットを付着し磁性体と下側挾持片並びに下側挾持片と上側挾持片間の磁着を強くしたことを特徴とする請求項１又は２又は３に記載の積層合成樹脂製袋体及び積層合成樹脂製ごみ袋固定用マグネット取付け具。
【請求項５】
前記請求項１に記載の磁性体の表面に磁着せしめる高さ調整磁着補強用マグネットを付設せしめることを特徴とする請求項１又は２又は３又は４に記載の積層合成樹脂製袋体及び積層合成樹脂製ごみ袋固定用マグネット取付け具。
【請求項６】
前記磁性体とマグネット取付け体もしくはマグネット取付け体とを紐部材で接続せしめることを特徴とする請求項１又は２又は３又は４又は５に記載の積層合成樹脂製袋体及び積層合成樹脂製ごみ袋固定用マグネット取付け具。
【請求項７】
前記マグネット取付け体が、花柄模様のレリーフ状グッズとしたことを特徴とする請求項１又は２又は３又は４又は５又は６に記載の積層合成樹脂製袋体及び積層合成樹脂製ごみ袋固定用マグネット取付け具。
【請求項８】
前記マグネット取付け体が、動物模様のレリーフ状グッズとしたことを特徴とする請求項１又は２又は３又は４又は５又は６に記載の積層合成樹脂製袋体及び積層合成樹脂製ごみ袋固定用マグネット取付け具。
【請求項９】
前記マグネット取付け体が、アニメ模様のレリーフ状グッズとしたことを特徴とする請求項１又は２又は３又は４又は５又は６に記載の積層合成樹脂製袋体及び積層合成樹脂製ごみ袋固定用マグネット取付け具。
【発明の詳細な説明】
【技術分野】
【０００１】
本発明は、積層合成樹脂製袋体及び積層合成樹脂製ごみ袋固定用マグネット取付け具の分野に関するものである。
【背景技術】
【０００２】
従来、袋集合体及び袋素材集合体が特許文献１（特開２０１３−８６８６０公開特許公報）として開示されている。
【０００３】
特許文献１に記載の発明である袋集合体及び袋素材集合体は、同公報の図２、４等に図示されているように、複数枚積層した袋集合体１を容器Ｂの開口部Ｂ１から入れた後、粘着テープ１７を接着した側が、容器Ｂの外側にくるようにし、集合体１を容器Ｂ内に入れたら粘着テープ１７の他方の面の剥離紙を剥がして容器Ｂの外側面Ｂ２に接着すると云う方法が開示されている。しかる後、袋集合体１の上層部側から順に一枚ずつ袋１０を分離して使用することも開示されている。
【先行技術文献】
【特許文献】
【０００４】
【特許文献１】特開２０１３−８６８６０公開特許公報
【発明の概要】
【発明が解決しようとする課題】
【０００５】
特許文献１記載の複数枚積層した袋集合体１は、容器Ｂ内に入れたら、粘着テープ１７を接着した側が、前記容器Ｂの外側にくるようにして、粘着テープ１７の他方の面の剥離紙を剥がして前記容器Ｂの外側面Ｂ２に接着すると云うものである。
【０００６】
前記開示の特許文献に記載されている複数枚積層された袋集合体１を使用するには、袋集合体１の上層側から順次一枚ずつ袋１０を分離して前記容器Ｂ内に予め広げ、ごみ類が何時でも投入できるようにしておき、投入されたごみ類が袋１０ないに満杯になったら、前記容器Ｂ内から取り出し、袋１０の開口部を閉じて廃棄処理すると云うものである。
【０００７】
前記従来開示の特許文献１に記載されている袋集合体１は、容器Ｂ内に収納されている際に、外側の袋１０内に投入されたごみ類の重量がかさんでくると、相当の重量となり、さらに広げられている袋１０内にごみが不用意に投入された時のスピードや勢い等によって、前記袋１０や袋集合体１に大小様々な荷重がかかることが多々存在している。
【０００８】
そのため、容器Ｂ内に収納されている未使用の積層袋集合体１を固定している前記容器Ｂの外側に接着の粘着テープ１７が、耐え切れずに離脱し、ごみ容器内に落下してしまう恐れが充分に考えられる。
【０００９】
しかるに、本発明の積層合成樹脂製袋体及び積層合成樹脂製ごみ袋固定用マグネット取付け具は、容器内に収納された積層合成樹脂製袋体もしくは積層合成樹脂製ごみ袋の外側袋が、容器の内側壁面部に沿って広げられた後、投入されたごみ類のスピードや衝撃に対して、広げられたごみ袋は勿論のこと、不使用にして広がっていない他の積層合成樹脂製袋体もしくはごみ袋に負荷がかかり、相当強力に引張られても移動することにより負荷を和らげ、前記積層合成樹脂製袋体もしくはごみ袋の一端縁部を磁着もしくは挾着保持状態を持続し、前記積層合成樹脂製袋体もしくは積層合成樹脂製ごみ袋がごみ容器から離脱して落下してしまうことを少なくすることができるようにした。
【００１０】
本発明は、さらにごみ容器内に収納され、磁着もしくは挾着保持された積層合成樹脂製袋体もしくは積層合成樹脂製ごみ袋の中の外側の前記袋体もしくはごみ袋が容器内で広げられた際に、投入時のごみ類のスピードや衝撃による大きな負荷が掛る時、固着に強くこだわれば、積層合成樹脂製袋体が切れたり、取付け具の両面テープの接着面が外れたりするため、最初の段階でマグネット取付け体が引張られて上方向に滑って移動し、２度目には、くわえた個所で逃げ２つの働きができ適度な高さとなり、前記ごみ袋をスライドせしめると共に、他方で複数枚の積層合成樹脂製袋体もしくは積層合成樹脂製ごみ袋がマグネット取付け体からの離脱を少なくせしめ課題を解決したものである。
【００１１】
本発明は、さらに前記積層合成樹脂製袋体もしくは積層合成樹脂製ごみ袋がごみ容器内に収納され、該ごみ袋の一端部をマグネット取付け具に固定した後、前記袋体もしくは外側ごみ袋の開口部の折曲片部を、左右にひろげ中央を手指で摘んで開き、トン、トンと強く上方に突き上げ、袋の下方に空気を入れ、その後両手を使って、前記袋の下部にも、空気を入れながら広げ、容器の内側壁面部にそわせ、その時両手を使い突上げたり、下方部に向って広げる作業時に、前記マグネット取付け具に固定されているごみ袋の開口部の他端部が引張られても、前記ごみ袋が容易に離脱することなく、外側の前記袋体もしくはごみ袋を固定できるようにして課題を解決したものである。
【課題を解決するための手段】
【００１２】
課題を解決するための手段として、請求項１に記載の発明は、合成樹脂製等のごみ容器ａの外側壁面部１の１箇所もしくは複数個所に、装着せしめられた磁性体ｂと、前記磁性体ｂに着脱自在に磁着せしめると共に、積層合成樹脂製袋体ｃを挾着保持するマグネット取付け体ｄとからなることを特徴とする積層合成樹脂製袋体及び積層合成樹脂製ごみ袋固定用マグネット取付け具である。
【００１３】
課題を解決するための手段として、請求項２に記載の発明は、前記請求項１に記載の磁性体ｂが、前記ごみ容器ａの開口部２寄りの上方部にして、且つ外側壁面部１に、装着せしめることを特徴とする請求項１に記載の積層合成樹脂製袋体及び積層合成樹脂製ごみ袋固定用マグネット取付け具である。  
【００１４】
課題を解決するための手段として、請求項３に記載の発明は、前記請求項１に記載の磁性体ｂが、短冊状をした複数枚の小片板状磁性体３を左側方部と右側方部を細く並列状に並置せしめ、前記小片板状磁性体３の裏面部４に両面接着テープ５を貼着せしめることを特徴とする請求項１又は２に記載の積層合成樹脂製袋体及び積層合成樹脂製ごみ袋固定用マグネット取付け具である。
【００１５】
課題を解決するための手段として、請求項４に記載の発明は、前記請求項１のマグネット取付け体ｄにおいて、下側挾持片７及び上側挾持片９に各1個づつのマグネット１２を付着し磁性体ｂと下側挾持片７並びに下側挾持片７と上側挾持片９間の磁着を強くしたことを特徴とする請求項１又は２又は３に記載の積層合成樹脂製袋体及び積層合成樹脂製ごみ袋固定用マグネット取付け具である。
【００１６】
課題を解決するための手段として、請求項５に記載の発明は、前記請求項１に記載の磁性体ｂの表面に磁着せしめる高さ調整磁着補強用マグネットｆを付設せしめることを特徴とする請求項１又は２又は３又は４に記載の積層合成樹脂製袋体及び積層合成樹脂製ごみ袋固定用マグネット取付け具である。
【００１７】
課題を解決するための手段として、請求項６に記載の発明は、前記磁性体ｂとマグネット取付け体ｄもしくはマグネット取付け体ｄとを紐部材２３で接続せしめることを特徴とする請求項１又は２又は３又は４又は５に記載の積層合成樹脂製袋体及び積層合成樹脂製ごみ袋固定用マグネット取付け具である。
【００１８】
課題を解決するための手段として、請求項７に記載の発明は、前記マグネット取付け体ｄが、花柄模様のレリーフ状グッズとしたことを特徴とする請求項１又は２又は３又は４又は５又は６に記載の積層合成樹脂製袋体及び積層合成樹脂製ごみ袋固定用マグネット取付け具である。
【００１９】
課題を解決するための手段として、請求項８に記載の発明は、前記マグネット取付け体ｄが、動物模様のレリーフ状グッズとしたことを特徴とする請求項１又は２又は３又は４又は５又は６に記載の積層合成樹脂製袋体及び積層合成樹脂製ごみ袋固定用マグネット取付け具である。
【００２０】
課題を解決するための手段として、請求項９に記載の発明は、前記マグネット取付け体ｄが、アニメ模様のレリーフ状グッズとしたことを特徴とする請求項１又は２又は３又は４又は５又は６に記載の積層合成樹脂製袋体及び積層合成樹脂製ごみ袋固定用マグネット取付け具である。
【発明の効果】
【００２１】
本発明は、前記した構成なので、ごみ容器内に収納され開口部が磁性体とマグネット取付け体との間に挾着保持された積層合成樹脂製袋体もしくは積層合成樹脂製ごみ袋とごみ容器の内壁部に密着し広げられた外側ごみ袋内に、大小様々なごみ類が種々のスピードで投げ込まれたり、相当の衝撃力が加わっても、前記積層合成樹脂製袋体と、使用中の外側ごみ袋が離脱してごみ容器内に落下してしまうことを少なくできる利点がある。
【００２２】
本発明は、さらにごみ容器内に収納され、挾着保持された積層合成樹脂製袋体の中の外側のごみ袋が容器内で広げられたごみ袋に、投入時のごみ類のスピードや衝撃による大きな負荷が掛っても、最初の段階でマグネット取付け体が引張られて上方向に滑って移動し、２度目にはくわえた個所で逃げ、前記ごみ袋をスライドさせるようにすると共に、他方で複数枚の積層合成樹脂製袋体がマグネット取付け体から離脱しないように広げられたごみ袋と、それ以外の積層合成樹脂製袋体のごみ容器内へのスライドが少なくできる利点を有している。
【００２３】
本発明はまた、爪状引掛け部を有する固定用マグネット取付け具では、積層合成樹脂製袋体もしくはごみ袋体を強く挾着し、溶着もしくは粘着テープもしくはセロテープ（登録商標）等を取り付ける必要性がないため、前記積層合成樹脂製袋体の製造コストを下げることができる利点がある。
【００２４】
本発明は、さらにマグネット取付け体上で、マグネット取付け体の所定範囲で、移動可能なため、使用中の合成樹脂製袋体内にごみの増加等による過大な負荷が加わって破れたり、取付け個所の粘着テープ等が剥がれて、前記積層合成樹脂製袋体が、容器内に落ち込んでしまうことなく、取付け個所の１側が前記容器に固定保持されるという効果を有している。
【００２５】
本発明は、前記マグネット取付け体が、花柄模様もしくは動物模様もしくはアニメ等のレリーフ状グッズとしたことによって、部屋の中が明るくなったり、楽しくなったりする利点がある。
【図面の簡単な説明】
【００２６】
【図１】本発明の積層合成樹脂製ごみ袋固定用マグネット取付け具の第１実施例を示す斜視図である。
【００２７】
【図２】同マグネット取付け具と積層合成樹脂製ごみ袋の斜視図である。
【００２８】
【図３】同ごみ容器内に折畳んだ積層合成樹脂製ごみ袋を収納し、外側ごみ袋を広げようとしている方向を示す状態を示す平面図である。
【００２９】
【図４】同図３のごみ袋を広げようとしている状態のごみ容器とごみ袋の縦断面図である。
【００３０】
【図５】同図４の状態のごみ袋がごみ容器内に広げられた後、ごみ容器の開口部にごみ袋の開口部が被せられた状態の正面図である。
【００３１】
【図６】同図５のごみ容器とごみ袋とマグネット取付け具の一部切欠拡大縦断正面図である。
【００３２】
【図７】同本発明のマグネット取付け具が積層合成樹脂製ごみ袋を固定している状態を下方より見た図である。
【００３３】
【図８】同第２実施例のごみ袋固定用マグネット取付け具の斜視図である。
【００３４】
【図１０】同図８のマグネット取付け具の縦断面図である。
【００３５】
【図１１】同第３実施例のマグネット取付け具の斜視図である。
【００３６】
【図９】同図１０のマグネット取付け具中、磁性体の縦断面図である。
【００３７】
【図１２】同第２実施例のマグネット取付け具を使用してごみ容器内に収納した積層合成樹脂製ごみ袋を固定していると共に、外側方のごみ袋を上方に突上げ空気を入れ突き上げようとしている状態の縦断面図である。
【００３８】
【図１３】同図１２における第２実施例のマグネット取付け具を使用してごみ容器内に収納した積層合成樹脂製ごみ袋を固定し、且つ外側ごみ袋を広げた状態の一部切欠拡大縦断面図である。
【００３９】
【図１４】同高さ調整磁着補強用マグネットを使用した状態の一部切欠縦断面図である。
【００４０】
【図１５】同レリーフ状のグッズ（花）をマグネット取付体として使用したごみ袋を容器の開口部に展開した状態を示す容器の正面図である。
【００４１】
【図１６】同図１５と同様レリーフ状のグッズ（動物）をマグネット取付体と紐付き磁性体の斜視図である。
【発明を実施するための最良の形態】
【００４２】
本発明の請求項１〜９に記載の発明に関する実施の形態は、共通しているので、一括して以下のとおり説明する。
【００４３】
図においてａは合成樹脂製のごみ容器である。
【００４４】
１はごみ容器ａの外側壁面部、２は前記ごみ容器ａの開口部である。
【００４５】
ｂは磁性体であり以下の構成からなっている。
【００４６】
前記磁性体ｂの第１実施例としては、薄い金属製板材を一枚又は複数枚をもって構成し限定しない。
【００４７】
前記磁性体ｂの第２実施例としては、短冊状をした複数枚の小片板状磁性体３を並列状に並置せしめても良い。その際に、前記小片板状磁性体３を左側方部と右側方部に細く並列状に並置せしめる。
【００４８】
前記磁性体ｂは、さらに前記合成樹脂製ごみ容器ａの外側壁面部１の開口部２寄り上方部に装着せしめる。具体的には、接着又は溶着又は圧入又は一体成型又は両面接着テープ５にて取着せしめる。
【００４９】
そして、前記磁性体ｂは、前記ごみ容器ａに接着せしめる手法として、磁性体ｂの裏面部４に接着剤（図面に図示していない）を塗布して前記ごみ容器ａの外側壁面部１の所定個所に接着せしめてもよい。
【００５０】
前記磁性体ｂは、さらに前記合成樹脂製ごみ容器ａの外側壁面部１に溶着せしめてもよい。
【００５１】
前記磁性体ｂは、前記ごみ容器ａの成形時に、一体成形としてもよい。さらに、前記磁性体ｂは、前記ごみ容器ａの外側面部に、圧入によって装着せしめてもよい。
【００５２】
図において、ｆは前記磁性体ｂの表面部に磁着せしめる高さ調整磁着補強用マグネットである。前記高さ調整磁着補強用マグネットｆを磁性体ｂの表面部に磁着せしめて使用する理由は、前記ごみ容器ａの開口縁部に設けられている容器の強度を持たせるための肉厚部分が、前記容器ａの外側壁面部１に接着もしくは溶着もしくは圧入せしめた磁性体ｂの厚みより大きく形成されている。
【００５３】
前記のような構造において、前記積層合成樹脂製袋体ｃもしくはごみ袋の前記容器ａより飛出している一端部を、前記マグネット取付け体ｄを介して挾着もしくは固定しても、広げられた外側袋体ｃ内にごみ等が投入され、前記袋体ｃに負荷がかかり、袋体ｃの全体もしくは一部が傾斜しても、前記マグネット取付け体ｄが外れたりすることを防止するのが目的である。
【００５４】
本発明においては、マグネット取付け具を１個もしくは複数個同時に使用してもよい。
【００５５】
前記磁性体ｂは、該裏面部４に、両面接着テープ５を貼着せしめる手法でもよい。その際前記両面接着テープ５の内側面に接着の剥離紙５ａを剥がし、貼着すれば、前記磁性体ｂの裏面部４に両面接着テープ５が確実に貼着できるし、次に前記両面接着テープ５の外側面の剥離紙５ａを剥がして、前記ごみ容器ａの外側壁面部１の所定個所を、しっかり汚れ部分を拭き取るか、もしくは細かなサンドペーパーを掛けた後、貼着すれば、相当の接着力を発揮した磁性体ｂが貼着できる。
【００５６】
また、前記磁性体ｂは、ごみ容器ａの前面の外側壁面部１及び後面の外側壁面部１に装着せしめても良い。
【００５７】
さらに、必要であれば磁着を補強したり、高さを調整するため高さ調整磁着補強用マグネットｆを使用してもよい。
【００５８】
図において、ｄはマグネット取付け体であり、以下の構成からなっている。
【００５９】
該マグネット取付け体ｄは、前記磁性体ｂに着脱自在に磁着せしめながら使用するものであって、機能的には前記磁性体ｂと前記マグネット取付け体ｄの間に、前記積層合成樹脂製袋体ｃの一端部を挾着保持するものである。前記袋体ｃは挾着時に前記袋体ｃの他端部が前記ごみ容器ａ内に収納される。
【００６０】
前記マグネット取付け体ｄの実施の１例として、前記磁性体ｂに着脱自在に付着する下側挾持片７と、前記下側挾持片７の表面部１０と対向する上側挾持片９を前記下側挾持片７と上側挾持片９を枢着部８を介してクリップ式に開閉自在に枢着せしめる。
【００６１】
さらに、前記枢着部８より前方の下側挾持片７の表面部１０もしくは裏面部１１にマグネット１２を付着し、前記マグネット１２の前方に爪状引掛け部１３を、前記爪状引掛け部１３の前方に細長い尖状凸部１４と凹部１５を交互に連続せしめた凹凸引掛け部１６を形成する。
【００６２】
そして、他方前記枢着部８より前方の上側挾持片９の裏面部１０ａにマグネット１２を付着し、且つ前記下側挾持片７の表面部１０に形成する爪状引掛け部１３を嵌挿せしめる凹部１７と、前記下側挾持片７の表面部１０に形成する凹凸引掛け部１６と噛合する噛み合い凸状引掛け部１８を突設せしめるものである。
【００６３】
本発明は、図８、９に示す第２実施例のマグネット取付け体ｄにおいては、下側挾持片７の表面部１０ｂにストッパー２１を形成する。その理由は図８、９に示す磁性体ｂを容器ａの外側壁面部１に貼着もしくは接着もしくは圧入によって接着するが、その際、前記磁性体ｂの上端部にはストッパー２１ａが形成される（図８、９、１２、１３）。
【００６４】
そのため、前記図１２、１３に図示するようにして袋体ｃを挾着保持されているときにおいて、ごみ等が投入された際に生ずる衝撃によって、前記袋体ｃが上方に引き上げられても、前記ストッパー２１ａによって、下側挾持片７のストッパー２１が係止状態となって、離脱が阻止される作用・効果がある。
【００６５】
（使用方法の１）
本発明の第１実施例の磁性体ｂとマグネット取付け具ｅと積層合成樹脂製ごみ袋体ｃとごみ容器ａとの使用方法は以下のとおりである。
【００６６】
前記磁性体ｂは、前記磁性体ｂの裏面部４に貼着する両面接着テープ５の外側面の剥離紙５ａを剥がした後、前記ごみ容器ａの外側壁面部１にして、しかも開口部２寄りの上方部に貼着する。この貼着によって、前記磁性体ｂが容易に離脱しない。
【００６７】
前記のようにして磁性体ｂを貼着した後、積層合成樹脂製袋体ｃを、図３、４、５、６に図示したとおりごみ容器ａ内に収納し、前記積層合成樹脂製袋体ｃの入口部をごみ容器ａの開口部２から外側方に引出し、図３、４、６に図示されているように、前記磁性体ｂの表面部に位置せしめた後、マグネット取付け体ｄを、前記積層合成樹脂製袋体ｃの外側面部に当てると、前記マグネット取付け体ｄが磁着状態となって、前記積層合成樹脂製袋体ｃが挾着し固定状態となる。
【００６８】
前記積層合成樹脂製袋体ｃが、静電気がおきたときは無理であるが、強く密着状態になったとき、前記積層合成樹脂製袋体ｃの外側積層合成樹脂製袋体ｃの開口部２ａを両手で広げ、積層合成樹脂製袋体ｃの開口部２ａを手指でつかんでトン、トンと強く積層合成樹脂製袋体ｃを上方に突き上げて空気を入れるのであるが、その際外側の積層合成樹脂製袋体ｃの開口部２ａの一端部が、前記磁性体ｂとマグネット取付け体ｄの磁着力によって挾着し固定状態となっているので離脱しない。
【００６９】
その後も両手で、前記袋体ｃの下の方に向って空気を入れ、ごみ容器ａの底を広げる。そのときにも磁着する取付け具が働くのである。
【００７０】
前記のように外側の積層合成樹脂製袋体ｃがごみ容器ａ内で広げられたら、図５のように前記外側の積層合成樹脂製袋体ｃの開口部分をごみ容器ａの開口部２より展開させる。
【００７１】
（使用方法の２）
本発明の第２実施例のマグネット取付け体ｄは、図８、９に図示されている。このマグネット取付け体ｄの使用方法は、以下のとおりである。
【００７２】
前記第２実施例のマグネット取付け体ｄは、磁性体ｂの裏面部４に貼着する両面接着テープ５の外側の剥離紙５ａを剥がしたら、ごみ容器ａの外側壁面部１の中、開口部２寄りの上方部に貼着する。
【００７３】
前記のようにして、磁性体ｂを取付け後、別設するマグネット取付け体ｄを磁性体ｂに対し付着する（図１２）。
【００７４】
その際前記マグネット取付け体ｄに付着しているマグネット１２、１２が、前記磁性体ｂに磁着して、下側挾持片７の表面部１０と上側挾持片９の裏面部１０ａとが密着する。
【００７５】
さらに、前記下側挾持片７と上側挾持片９とが密着すると、爪状引掛け部１３と凹部１７が嵌合し、さらに尖状凸部１４と凹部１５からなる凹凸状引掛け部１６が、凸状引掛け部１８と噛合する。
【００７６】
その際、下側挾持片７と上側挾持片９とを枢支せしめるクリップ式枢着部８の後方部の下側挾持片７と上側挾持片９を押圧すると、前記枢着部８の前方部に位置する上側挾持片９と下側挾持片７が図１２、１３に図示されているように両片の間に、ごみ容器ａ内に収納した積層合成樹脂製袋体ｃの端部が挾着され、さらに前記積層合成樹脂製袋体ｃが前記した爪状引掛け部１３と凹部１７との間に、さらに尖状凸部１４と凹部１５からなる凹凸状引掛け部１６と凸状引掛け部１８との間に前記した積層合成樹脂製袋体ｃの端部が挾着され、同時に固定される。
【００７７】
（使用方法の３）
本発明の第３実施例のマグネット取付け具は、図１０に図示されている。
【００７８】
前記第３実施例は、図１０に図示するようにマグネット取付け体ｄにおいて、図８、９に図示されているマグネット取付け体ｄと異なり、爪状引掛け部１３と凹部１７がない構造である。
【００７９】
前記第３実施例のマグネット取付け体ｄも、前記第２実施例のマグネット取付け具の使用方法と同じように、磁性体ｂを容器ａの外側壁面部１に装着せしめた後、前記説明したと同じ手段で袋体ｃを挾着もしくは固定状態にして使用するものである。
【００８０】
２０は容器ａの外側壁面部１のマグネット取付け体ｄの圧入個所を示す圧入部である。
【００８１】
ｆは図２に図示されている磁性体ｂの表面部に磁着せしめる積層袋体ｃの厚さによって、調整可能な高さ調整磁着補強用マグネットである。
【００８２】
前記マグネット取付け体ｄは、ごみ容器ａにおいて、花もしくは動物もしくはアニメ等のレリーフ状のグッズを取着せしめても良い。それによって部屋の中が明るくなったり、楽しくなったりする利点がある。
【符号の説明】
【００８３】
ａ        ごみ容器
ｂ        磁性体
ｃ        積層合成樹脂製袋体
ｄ        マグネット取付け体
ｅ        マグネット取付け具
ｆ        高さ調整磁着補強用マグネット
１        外側壁面部
２        開口部
２ａ      開口部
３        片板状磁性体
４        裏面部
５        両面接着テープ
５ａ      剥離紙
７        下側挾持片
８        枢着部
９        上側挾持片
１０      表面部
１０ａ    裏面部
１０ｂ    裏面部
１１      裏面部
１２      マグネット
１３      爪状引掛け部
１４      尖状凸部
１５      凹部
１６      凹凸状引掛け部
１７      凹部
１８      凸状引掛け部
１９      開口入り口部
２０      圧入部
２１      ストッパー
２１ａ    ストッパー
２３      紐部
【図１】
2016153339.tif 000003
【図２】
2016153339.tif 000004
【図３】
2016153339.tif 000005
【図４】
2016153339.tif 000006
【図５】
2016153339.tif 000007
【図６】
2016153339.tif 000008
【図７】
2016153339.tif 000009
【図８】
2016153339.tif 000010
【図９】
2016153339.tif 000011
【図１０】
2016153339.tif 000012
【図１１】
2016153339.tif 000013
【図１２】
2016153339.tif 000014
【図１３】
2016153339.tif 000015
【図１４】
2016153339.tif 000016
【図１５】
2016153339.tif 000017
【図１６】
2016153339.tif 000018